(57)【特許請求の範囲】
【請求項１】
記録媒体を収納して装置本体に対し出し入れ可能なトレイを備えた記録媒体の供給装置であって、
前記トレイは、当該トレイの底面の一部を構成し、前記記録媒体を載置する載置部材を有しており、
前記載置部材と、前記記録媒体を供給する供給ローラとは、上下方向に重畳して配設され、
前記供給ローラが回転動作して前記載置部材が上昇・下降動作することにより、前記載置部材上に載置された前記記録媒体を前記供給ローラで供給することを特徴とする記録媒体の供給装置。
【請求項２】
前記供給ローラの回転動作と前記載置部材の上昇・下降動作は、同期制御されることを特徴とする請求項１に記載の記録媒体の供給装置。
【請求項３】
前記供給ローラと連接されており、前記供給ローラの回転動作に連動して回動動作するカムと、前記載置部材に接続されており、前記カムの回動動作により上下動作するリフタとを有する機構により前記同期制御されることを特徴とする請求項２に記載の記録媒体の供給装置。
【請求項４】
前記載置部材は、前記記録媒体を収納するトレイの底面の一部を構成していることを特徴とする請求項１〜３の何れか一項に記載の記録媒体の供給装置。
【請求項５】
前記供給ローラは、外周面が円周面と平坦面で構成されていることを特徴とする請求項１〜４の何れか一項に記載の記録媒体の供給装置。
【請求項６】
載置部材上に載置された記録媒体を供給ローラにより供給する供給方法であって、
出し入れ可能なトレイに前記記録媒体を収納して、当該トレイを装置本体内に差し込み、
前記記録媒体が前記供給ローラから離間している状態で前記供給ローラを回転させ、
前記載置部材を上昇させて前記記録媒体を前記供給ローラに当接させ、
前記記録媒体を引き出して供給し、
前記載置部材を下降させて前記記録媒体を前記供給ローラから離間させることを特徴とする供給方法。
【請求項７】
記録媒体に情報を記録する記録装置において、
請求項１〜５の何れか一項に記載の供給装置を備えたことを特徴とする記録装置。
【発明の詳細な説明】
【０００１】
【発明の属する技術分野】
本発明は、載置部材上に載置された記録媒体を供給ローラにより供給する供給装置、供給方法及びその供給装置を備えた記録装置に関する。
【０００２】
【従来の技術】
一般に、記録装置の１つであるインクジェット式プリンタは、主走査方向に往復移動するキャリッジに搭載されたプリントへッドと、副走査方向に印刷用紙を間欠的に設定量ずつ搬送する用紙搬送手段を備え、トレイ内に積載されている印刷用紙を副走査方向に搬送しつつプリントヘッドを主走査方向に移動させ、プリントへッドから印刷用紙にインク滴を吐出して情報を記録するように構成されている。
【０００３】
トレイをプリンタ本体の前面側から抜き差しするいわゆる前面操作型のプリンタの場合、トレイをプリンタ本体内に差し込んでいくと、トレイ内の印刷用紙はホッパにより徐徐に持ち上げられる。そして、トレイがプリンタ本体内に完全に差し込まれたときに、トレイ内の印刷用紙は給紙ローラに当接するので、最上位の印刷用紙は給紙ローラにより引き出されて紙送りローラへ給紙されるようになっている。
【０００４】
一方、トレイをプリンタ本体内から引き出していくと、ホッパは徐徐に下がり、トレイがプリンタ本体内から完全に引き出されると、ホッパは下がりきっているので、トレイ内に印刷用紙を補充することができるようになっている。
【０００５】
【発明が解決しようとする課題】
上述した従来の給紙装置では、トレイがプリンタ本体内に完全に差し込まれたときに、トレイ内の印刷用紙を給紙ローラに当接させなければならないため、給紙ローラとホッパを可能な限り近接配置する必要がある。このため、トレイ内に収納可能な印刷用紙の枚数が制限されることになるという問題がある。一方、トレイ内に収納可能な印刷用紙の枚数を増加させるには、給紙ローラとホッパを離間配置すればよいが、給紙ローラの回転とホッパの上下動の連携をとることが困難になるという問題がある。
【０００６】
本発明は、上記のような課題に鑑みなされたものであり、その目的は、多数の記録媒体を載置して確実に供給することができる記録媒体の供給装置、供給方法及びその供給装置を備えた記録装置を提供することにある。
【０００７】
【課題を解決するための手段】
上記目的達成のため、本発明の請求項に係る記録媒体の供給装置では、記録媒体を収納して装置本体に対し出し入れ可能なトレイを備えた記録媒体の供給装置であって、前記トレイは、当該トレイの底面の一部を構成し、前記記録媒体を載置する載置部材を有しており、前記載置部材と、前記記録媒体を供給する供給ローラとは、上下方向に重畳して配設され、前記供給ローラが回転動作して前記載置部材が上昇・下降動作することにより、前記載置部材上に載置された前記記録媒体を前記供給ローラで供給することを特徴としている。
【０００８】
これにより、記録媒体が載置された載置部材をセットした状態では記録媒体と供給ローラは離間しており、供給ローラが回転して初めて載置部材が上昇し、供給ローラにより記録媒体が供給されるので、多数の記録媒体を載置しても確実に供給することができる。
【０００９】
また、本願の請求項に係る記録媒体の供給装置では、前記供給ローラの回転動作と前記載置部材の上昇・下降動作は、同期制御されることを特徴としている。これにより、記録媒体を供給するときは載置部材を確実に上昇させ、記録媒体を供給しないときは載置部材を確実に下降させておくことができる。
【００１０】
また、本願の請求項に係る記録媒体の供給装置では、前記供給ローラと連接されており、前記供給ローラの回転動作に連動して回動動作するカムと、前記載置部材に接続されており、前記カムの回動動作により上下動作するリフタとを有する機構により前記同期制御されることを特徴としている。このように簡易な機構により供給ローラの回転動作と載置部材の上昇・下降動作の同期を制御することができるので、小型化及び低コスト化を実現することができる。
【００１１】
また、本願の請求項に係る記録媒体の供給装置では、前記載置部材は、前記記録媒体を収納するトレイの底面の一部を構成していることを特徴としている。これにより、載置部材を別に設けなくてよいので、コストを低減させることができる。
【００１２】
また、本願の請求項に係る記録媒体の供給装置では、前記供給ローラは、外周面が円周面と平坦面で構成されていることを特徴としている。これにより、外周面に最上位の記録媒体を当接させることにより供給し、平坦面でその記録媒体から離間して重送されてきている下位の記録媒体を載置部材上に戻す機構を構成することが可能になる。
【００１３】
上記目的達成のため、本発明の請求項に係る供給方法では、載置部材上に載置された記録媒体を供給ローラにより供給する供給方法であって、出し入れ可能なトレイに前記記録媒体を収納して、当該トレイを装置本体内に差し込み、前記記録媒体が前記供給ローラから離間している状態で前記供給ローラを回転させ、前記載置部材を上昇させて前記記録媒体を前記供給ローラに当接させ、前記記録媒体を引き出して供給し、前記載置部材を下降させて前記記録媒体を前記供給ローラから離間させることを特徴としている。
【００１４】
これにより、多数の記録媒体を載置しても確実に供給することができるので、記録効率を向上させることができる。
【００１５】
上記目的達成のため、本発明の請求項７に係る記録装置では、記録媒体に情報を記録する記録装置において、請求項１〜５の何れか一項に記載の供給装置を備えたことを特徴としている。これにより、上記各作用効果を有する記録装置を提供することができる。
【００１６】
【発明の実施の形態】
以下、図面に基づいて本発明の実施の形態について詳細に説明する。
【００１７】
図１は、本発明の実施の形態に係るインクジェット式記録装置の１つであるインクジェット式プリンタの構成例を斜め前方から見た斜視図である。このインクジェット式プリンタ１００は、扁平の直方体の形状をしており、一側面（以下、前面という）側から全ての操作を行うことが可能なように構成されている。このインクジェット式プリンタ１００の後述する図４等に示す用紙搬送部１４０や印刷部１５０等は、前面側が開放された筐体１０１及びこの筐体１０１の前面側にはめ込まれた前枠１０２により覆われている。
【００１８】
筐体１０１は、図１に示すように、例えば金属板の板金加工により、あるいはプラスチックの射出成形により形成されている。前枠１０２は、図１に示すように、プラスチックの射出成形により形成されており、開口部の下部には図示矢印ａで示す副走査方向（印刷用紙の搬送方向）に出し入れ可能なトレイ１１０及びスタッカ１２０が上下に配設され、それらの脇には操作パネル１３０が配設され、開口部の上部には図示矢印ｂで示す前後方向に回動開閉可能な開閉カバー１０３が取り付けられている。
【００１９】
トレイ１１０は、図２に示すように、印刷前の印刷用紙を積層収納する本体１１１と、積層収納した印刷用紙を１枚ずつ供給するために印刷用紙の前部を斜め上方に持ち上げるホッパ１１２を有している。本体１１１は、図２に示すように、例えばＡ４サイズの大きさの印刷用紙より若干大きく作製されており、印刷用紙を内部に配設されている印刷用紙の幅方向の位置決め用部材１１１ａ及び図示しない長さ方向の位置決め用部材により所定位置に位置決めして積層収納するようになっている。
【００２０】
ホッパ１１２は、図２に示すように、本体１１１内の前部に配設された用紙支持部１１２ａ及びこの用紙支持部１１２ａと一体形成された脚部１１２ｂを有しており、脚部１１２ｂと本体１１１の内底面に係止されている付勢部材１１２ｃにより、脚部１１２ｂの端部を中心に旋回する用紙支持部１１２ａにより印刷用紙の前部を斜め上方に持ち上げるようになっている。
【００２１】
このトレイ１１０は、図１に示すように、前枠１０２に対して後方の筐体１０１内に収納された状態にて印刷用紙の供給が可能であり、また、図２に示すように、前枠１０２に対して前方へ引き出された状態にて印刷用紙の補充や交換が可能なように構成されている。この印刷用紙としては、普通紙、専用紙、推奨ＯＨＰシート、光沢紙、光沢フィルム、ラベルシート、官製葉書等が利用できる。
【００２２】
スタッカ１２０は、図３に示すように、印刷完了後に排紙される印刷用紙を受けて載置する受け台１２１と、前方に引き出された状態の受け台１２１の後端部を保持し、あるいは後方に押し込まれる受け台１２１を収納する基台１２２を有している。受け台１２１は、例えばＡ４サイズの大きさの印刷用紙より若干大きく作製されており、印刷が完了して排出された印刷用紙を載置保持するようになっている。基台１２２は、筐体１０１内に固定されており、受け台１２１を前後方向にスライド可能に支持して収納あるいは保持するようになっている。
【００２３】
操作パネル１３０には、図１に示すように、電源ボタン１３１、リセットボタン１３２、排紙ボタン１３３等が配設されており、図５等に示す筐体１０１に内蔵されている制御部１６０の専用コントローラボード等に電気配線接続されている。この操作パネル１３０の各ボタン１３１〜１３３等を操作することにより、インクジェット式プリンタ１００の起動・印刷・停止等を行うことができるようになっている。
【００２４】
開閉カバー１０３は、図１に示すように、プラスチックの射出成形により前枠１０２の略上半分を覆うことが可能な大きさに形成されており、上部を前方側に引き、後方側へ押すことにより下部を中心に回動開閉可能なように構成されている。すなわち、図４に示すように、開閉カバー１０３の下部の２箇所には軸支リブ１０３ａが突出形成されており、これらの軸支リブ１０３ａが開閉カバー１０３の回動中心として前枠１０２に軸支持されている。また、開閉カバー１０３の両側面の上部には係止リブ１０３ｂが突出形成されており、これらの係止リブ１０３ｂが開閉カバー１０３を閉じたときに前枠１０２に引っ掛かって開閉カバー１０３を前枠１０２に係止するようになっている。
【００２５】
そして、図４に示すように、開閉カバー１０３を開けたときのトレイ１１０の上部には用紙搬送部１４０が配設され、この用紙搬送部１４０の上方には図示矢印ｃで示す主走査方向（後述するキャリッジ１５１の走査方向）に移動可能な印刷部１５０が配設されている。ここで、図５は、筐体１０１、前枠１０２及び開閉カバー１０３を取り外した状態を示す斜視図、図６は、その平面図、図７は、その正面図、図８は、その側面図であり、図５〜図８を参照して用紙搬送部１４０及び印刷部１５０の詳細構成について説明する。
【００２６】
用紙搬送部１４０は、印刷用紙を筐体１０１内に収納されているトレイ１１０から前面側に引き出されているスタッカ１２０まで搬送する機能を有しており、後面側から前面側にかけて以下の部材が順に配設されている。すなわち、トレイ１１０の上部に配設されている第１紙案内１４１（図５、６、８参照）、上下に対向配置されている給紙ローラ１４２（図５、６、８参照）とパッド１４３ａ（図８参照）を有するパッドホルダ１４３（図８参照）、パッドホルダ１４３を支持する第２紙案内１４４（図８参照）、上下に対向配置されている従動ローラ１４５（図５〜８参照）と紙送りローラ１４６（図５、６、８参照）、印刷部１５０の下部に配設されている第３紙案内１４７（図５〜８参照）、上下に対向配置されている排紙ギザローラ１４８（図５〜８参照）と排紙ローラ１４９（図５、７、８参照）が配設されている。
【００２７】
印刷部１５０は、主走査方向に移動可能なキャリッジ１５１（図５〜８参照）、キャリッジ１５１に対して前後方向に脱着可能に取り付けられたインクカートリッジ１５２（図５〜８参照）、キャリッジ１５１に搭載されたプリントヘッド１５３（図７、８参照）、キャリッジ１５１の移動を案内するガイド棒１５４（図５〜８参照）、プリントヘッド１５３と制御部１６０の専用コントローラボード等を電気的に接続するフレキシブル配線板１５５（図５〜７参照）、インクカートリッジ１５２をキャリッジ１５１に着脱する際に補助するアシスト手段１５６（図５〜８参照）等を備えている。インクカートリッジ１５２は、例えばイエロー、マゼンタ、シアン、ブラックの計４色のタンクを備えており、フルカラー印刷が可能なように構成されている。
【００２８】
そして、図５〜図７に示すように、用紙搬送部１４０を駆動する搬送駆動部１７０として駆動モータ１７１及びギア機構１７２が、用紙搬送部１４０の一側面側に配設され、印刷部１５０の印刷駆動部１８０として駆動モータ１８１及びベルト機構１８２が、印刷部１５０の後方側に配設されている。
【００２９】
このような構成において、その動作の概略を説明する。なお、インクジェット式プリンタ１００とコンピュータ等との接続配線や電源プラグの接続は既に完了しているものとする。先ず、使用者は、図１に示す状態で指をトレイ１１０の底面に設けられている凹部に掛けて引っ張ることにより、図２に示すようにトレイ１１０を前方へ引き出す。
【００３０】
続いて、トレイ１１０の本体１１１内の所定位置に複数枚の印刷用紙を積層した状態で収納した後、トレイ１１０を後方へ押し込んでセットする。このとき、印刷用紙の前部はホッパ１１２により斜め上方に持ち上げられ、最上部の印刷用紙の前部先端が給紙ローラ１４２に接触する。
【００３１】
次に、使用者は、指をスタッカ１２０の底面に設けられている凹部に掛けて引っ張ることにより、図３に示すようにスタッカ１２０を前方へ引き出す。そして、操作パネル１３０を操作してインクジェット式プリンタ１００をスタンバイ状態にし、コンピュータ等から印刷指令を入力する。
【００３２】
すると、図８に示すように、トレイ１１０内の最上部の１枚の印刷用紙Ｐは、第１紙案内１４１と第２紙案内１４４に案内されつつ、給紙ローラ１４２の回転により副走査方向である前方へ引き出されて給紙ローラ１４２とパッド１４３ａとの間に挟持されて更に前方へ送り出される。そして、その印刷用紙Ｐは、従動ローラ１４５と紙送りローラ１４６との間に挟持されて更に前方へ送り出される。
【００３３】
印刷用紙Ｐが第３紙案内１４７に達すると、キャリッジ１５１の主走査方向への移動が開始される。そして、副走査方向に搬送されつつある印刷用紙Ｐに対し、プリントヘッド１５３は主走査方向に移動しながらインク滴を吐出して、印刷用紙Ｐ上に所定の印刷情報を印刷する。このときのプリントヘッド１５３の走査タイミングやインク吐出タイミングは、制御部１６０の専用コントローラボード等により制御され、高精度なインクドット制御、ハーフトーン処理等が実行されるようになっている。
【００３４】
そして、その印刷用紙Ｐは、排紙ギザローラ１４８と排紙ローラ１４９との間に挟持されて更に前方へ送り出され、最終的に印刷が完了した印刷用紙Ｐはスタッカ１２０上に排紙される。なお、インクカートリッジ１５２内のインクが無くなったときは、図９に示すように、開閉カバー１０３を開け、アシスト手段１５６を図示矢印ｄで示す前方に回動させてインクカートリッジ１５２から離間させ、図１０に示すように、インクカートリッジ１５２を図示矢印ｅで示す前方に引き出し、新規のインクカートリッジ１５２と交換する。
【００３５】
以上のように、このインクジェット式プリンタ１００によれば、印刷前の印刷用紙Ｐのセッティングから印刷後の印刷用紙Ｐの取り出し、さらにはインクカートリッジ１５２の交換等にいたるまで前面側で全て処理することができるので、操作が迅速かつ容易となり、印刷効率を向上させることができると共に、プリンタ上部への周辺機器の設置が可能となり、作業空間を有効利用することができる。
【００３６】
図１１は、上記用紙搬送部１４０に適用された本発明の記録媒体の供給装置の実施形態である給紙装置の周辺部を背面左上方から見た斜視図、図１２は、その拡大斜視図、図１３は、その主要部の側面図である。この給紙装置２０の特徴的な部分は、図１１及び図１３に示すトレイ１１０の本体１１１内に収納された印刷用紙を載置して一端を持ち上げるホッパ（載置部材）１１２と、図１１〜図１３に示す最上位の印刷用紙を引き出して紙送りローラ１４６へ給紙する給紙ローラ（供給ローラ）１４２とが、上下方向に重畳、すなわち離間して配設されている点にある。
【００３７】
ホッパ１１２は、図１１に示すように、トレイ１１０の本体１１１の底面の一部を構成している。給紙ローラ１４２は、図１１及び図１２に示すように、外周面が円周面と平坦面で構成されている。そして、給紙ローラ１４２の回転動作に同期してホッパ１１２が上昇・下降動作することにより、ホッパ１１２上に載置された印刷用紙が供給されるようになっている。
【００３８】
給紙ローラ１４２の回転動作とホッパ１１２の上昇・下降動作の同期制御機構は、給紙ローラ１４２と連接されており、給紙ローラ１４２の回転動作に連動して回動動作する図１２及び図１３に示すリフタ制御カム１１５と、一端が筐体１０１内におけるトレイ１１０の本体１１１の一側面外側となる位置に回転可能に係止され、他端が筐体１０１内に係止されているホッパバネ１１４に係止されて上方へ引っ張られており、リフタ制御カム１１５の回動動作により上下動作する図１１〜図１３に示すリフタ１１３を備えている。これにより、図１１に示すホッパ１１２の用紙支持部１１２ａは脚部１１２ｂの端部を中心に、給紙ローラ１４２の回転動作に同期して図示矢印ａ方向に上昇・下降動作するようになっている。
【００３９】
また、最上位の印刷用紙と下位の印刷用紙が重ねて引き出された場合、パッド１４３ａが下位の印刷用紙を最上位の印刷用紙から分離し、その後にパッドホルダ１４３が下位の印刷用紙のみをトレイ１１０へ戻すようになっている。なお、用紙支持部１１２ａの先端には、最上位の印刷用紙が給紙ローラ１４２により引き出される際に、積載されている印刷用紙がずれないようにするためのコルク１１６が貼り付けられている。
【００４０】
このような構成において、給紙装置２０の動作例を図１４〜図２６を参照して説明する。トレイ１１０がプリンタ本体内に完全に差し込まれた状態では、図１４に示すように、リフタ１１３はリフタ制御カム１１５により押し下げられており、図１４及び図１５に示すように、ホッパ１１２は最下位の位置にある。また、図１５に示すように、給紙ローラ１４２と第２紙案内１４４は離間しており、パッドホルダ１４３は第２紙案内１４４に係止されているねじりコイルバネ１４４ａにより押されて最上位の位置にある。
【００４１】
続いて、図１６に示すように、給紙ローラ１４２の回転によりリフタ制御カム１１５が回動すると、図１６及び図１７に示すように、リフタ１１３はホッパバネ１１４に引っ張られて上昇を開始してホッパ１１２を図１７に示す矢印ａ方向に押し上げる。同時に、図１７に示すように、給紙ローラ１４２が図示矢印ｂ方向に回転することにより、給紙ローラ１４２の突起部１４２ａがパッドホルダ１４３に当接してパッドホルダ１４３を図示矢印ｃ方向に押し下げる。
【００４２】
さらに、図１８〜図２０に示すように、給紙ローラ１４２の回転によりリフタ制御カム１１５が回動すると、図１８〜図２１に示すように、リフタ１１３はホッパバネ１１４に引っ張られて上昇してホッパ１１２を最上位の位置まで押し上げる。同時に、図２１に示すように、給紙ローラ１４２が回転することにより、給紙ローラ１４２の円周部がパッドホルダ１４３を最下位の位置まで押し下げる。そして、図２２に示すように、給紙ローラ１４２は円周部がトレイ１１０の本体１１１内に収納されている最上位の印刷用紙Ｐに当接して最上位の印刷用紙Ｐを引き出す。
【００４３】
このときに最上位の印刷用紙Ｐと下位の印刷用紙Ｐが重ねて引き出されたときは、それらを給紙ローラ１４２とパッド１４３ａが取り付けられているパッドホルダ１４３の面との間に挟持し、図２３に示すように、下位の印刷用紙Ｐの送りをパッド１４３ａによる摩擦で阻止し、最上位の印刷用紙Ｐのみを給紙ローラ１４２の回転により送り出すことにより両者を分離する。
【００４４】
さらに、図２４及び図２５に示すように、給紙ローラ１４２の回転によりリフタ制御カム１１５が回動すると、図２４〜図２６に示すように、リフタ１１３はリフタ制御カム１１５により押し下げられ、ホッパ１１２は最下位の位置に戻る。また、図２６に示すように、給紙ローラ１４２は平坦部に達することでパッドホルダ１４３から離間するので、パッドホルダ１４３はねじりコイルバネ１４４ａにより押されて最上位の位置に戻る。そして、このときにパッド１４３ａが取り付けられているパッドホルダ１４３の面がパッド１４３ａ上の下位の印刷用紙Ｐを押すことによりトレイ１１０の本体１１１内へ戻す。以上により１枚目の印刷用紙Ｐの送りが完了するので、以降の印刷用紙Ｐに対しても同様の動作が繰り返される。
【００４５】
以上、本発明を種々の実施形態に関して述べたが、本発明は以上の実施形態に限られるものではなく、特許請求の範囲に記載された発明の範囲内で、他の実施形態についても適用されるのは勿論である。例えば、記録装置としてプリンタを例に説明したが、これに限られるものではなく、例えばファクシミリ装置やコピー装置等の記録装置にも適用可能である。
【００４６】
【発明の効果】
以上説明したように、本発明に係る記録媒体の供給装置、供給方法及びその供給装置を備えた記録装置によれば、記録媒体が載置された載置部材をセットした状態では記録媒体と供給ローラは離間しており、供給ローラが回転して初めて載置部材が上昇し、供給ローラにより記録媒体が供給されることになる。したがって、多数の記録媒体を載置しても確実に供給することができる。また、記録媒体を供給するときは載置部材を確実に上昇させ、記録媒体を供給しないときは載置部材を確実に下降させておくことができる。
【図面の簡単な説明】
【図１】本発明の実施の形態に係るインクジェット式記録装置の１つであるインクジェット式プリンタの構成例を斜め前方から見た斜視図である。
【図２】図１のインクジェット式プリンタのトレイを引き出した状態を示す斜視図である。
【図３】図１のインクジェット式プリンタのスタッカを引き出した状態を示す斜視図である。
【図４】図１のインクジェット式プリンタの開閉カバーを開いた状態を示す斜視図である。
【図５】図１のインクジェット式プリンタの筐体、前枠及び開閉カバーを取り外した状態を示す斜視図である。
【図６】図５のインクジェット式プリンタの平面図である。
【図７】図５のインクジェット式プリンタの正面図である。
【図８】図５のインクジェット式プリンタの側面図である。
【図９】図１のインクジェット式プリンタのインクカートリッジを交換する手順を示す第１の斜視図である。
【図１０】図１のインクジェット式プリンタのインクカートリッジを交換する手順を示す第２の斜視図である。
【図１１】図１のインクジェット式プリンタの用紙搬送部に適用された本発明の記録媒体の供給装置の実施形態である給紙装置の周辺部を背面左上方から見た斜視図である。
【図１２】図１１の給紙装置の拡大斜視図である。
【図１３】図１１の給紙装置の主要部の側面図である。
【図１４】図１１の給紙装置の動作例を説明するための第１の斜視図である。
【図１５】図１１の給紙装置の動作例を説明するための第１の側面図である。
【図１６】図１１の給紙装置の動作例を説明するための第２の斜視図である。
【図１７】図１１の給紙装置の動作例を説明するための第２の側面図である。
【図１８】図１１の給紙装置の動作例を説明するための第３の斜視図である。
【図１９】図１１の給紙装置の動作例を説明するための第４の斜視図である。
【図２０】図１１の給紙装置の動作例を説明するための第５の斜視図である。
【図２１】図１１の給紙装置の動作例を説明するための第３の側面図である。
【図２２】図１１の給紙装置の動作例を説明するための第６の斜視図である。
【図２３】図１１の給紙装置の動作例を説明するための第４の側面図である。
【図２４】図１１の給紙装置の動作例を説明するための第７の斜視図である。
【図２５】図１１の給紙装置の動作例を説明するための第８の斜視図である。
【図２６】図１１の給紙装置の動作例を説明するための第５の側面図である。
【符号の説明】
２０        給紙装置
１００      インクジェット式プリンタ
１０１      筐体
１０２      前枠
１０３      開閉カバー
１１０      トレイ
１１１      本体
１１２      ホッパ
１１３      リフタ
１１４      ホッパバネ
１１５      リフタ制御カム
１１６      コルク
１２０      スタッカ
１２１      受け台
１２２      基台
１３０      操作パネル
１４０      用紙搬送部
１４１      第１紙案内
１４２      給紙ローラ
１４２      突起部
１４３      パッドホルダ
１４３ａ    パッド
１４４      第２紙案内
１４４ａ    ねじりコイルバネ
１４５      従動ローラ
１４６      紙送りローラ
１４７      第３紙案内
１４８      排紙ギザローラ
１４９      排紙ローラ
１５０      印刷部
１５１      キャリッジ
１５２      インクカートリッジ
１５３      プリントヘッド
１５４      ガイド棒
１５５      フレキシブル配線板
１５６      アシスト手段
１６０      制御部
１７０      搬送駆動部
１７１      駆動モータ
１７２      ギア機構
１８０      印刷駆動部
１８１      駆動モータ
１８２      ベルト機構
【図１】
0003915882.tif 000002
【図２】
0003915882.tif 000003
【図３】
0003915882.tif 000004
【図４】
0003915882.tif 000005
【図５】
0003915882.tif 000006
【図６】
0003915882.tif 000007
【図７】
0003915882.tif 000008
【図８】
0003915882.tif 000009
【図９】
0003915882.tif 000010
【図１０】
0003915882.tif 000011
【図１１】
0003915882.tif 000012
【図１２】
0003915882.tif 000013
【図１３】
0003915882.tif 000014
【図１４】
0003915882.tif 000015
【図１５】
0003915882.tif 000016
【図１６】
0003915882.tif 000017
【図１７】
0003915882.tif 000018
【図１８】
0003915882.tif 000019
【図１９】
0003915882.tif 000020
【図２０】
0003915882.tif 000021
【図２１】
0003915882.tif 000022
【図２２】
0003915882.tif 000023
【図２３】
0003915882.tif 000024
【図２４】
0003915882.tif 000025
【図２５】
0003915882.tif 000026
【図２６】
0003915882.tif 000027